(57)【要約】【課題】  便器装置のケーシング下面と便器上面の間のわずかな隙間に排便・小便の跳ね返りや飛び散り等による汚水が浸入することを防ぎ、また、便器開口部に面しているケーシング下面に汚水が付着することを防止し、清掃性が良好であり、外観上のスッキリしたデザイン性も確保することを可能にする。  【解決手段】  本発明では、便器２上面に設置したケーシング６に機能部品を収納した便器装置１において、便器２開口内であって、ケーシング６の下方にカバー部材３を配置し、便器２開口内後方にシール部３ａを当接させた。また、シール部３ａとは滑らかに接続するカバー部３ｃによって、ケーシング６下面のうち便器２開口面と重なる領域を覆った。さらに、カバー部３ｃの前方上部とケーシング６前方下面の隙間８を覆うように、ケーシング６より下方に延びる突出部９を設けた。【選択図】  図２
2005105545.tif 000002
【特許請求の範囲】
【請求項１】
便器上面に設置したケーシングに機能部品を収納した便器装置において、一端が便器上面より下方の便器開口内に対して当接するように、且つ、他端が前記ケーシングの便器開口内に臨んだ位置に対して対向するようにカバー部材を取り付けたことを特徴とする便器装置。
【請求項２】
請求項１に記載の便器装置において、前記カバー部材の便器開口内との当接箇所は、弾性体よりなるシール部であることを特徴とする便器装置。
【請求項３】
請求項２に記載の便器装置において、前記カバー部材は、前記シール部と、前記ケーシング下面に取り付けられ、このケーシング下面のうち便器開口部と重なる領域を覆う略平坦形状のカバー部とからなり、前記シール部と前記カバー部は表面が面一に接続されていることを特徴とする便器装置。
【請求項４】
請求項２又は３に記載の便器装置において、前記シール部は、その外周が略円弧形状であって、且つ略円弧形状に沿って凸部を設け、この凸部が便器上面より下方の便器開口内と当接することを特徴とする便器装置。
【請求項５】
請求項１から４の何れか一項に記載の便器装置において、前記カバー部材は、前記ケーシング下面に移動可能又は着脱可能に取り付けたことを特徴とする便器装置
【請求項６】
請求項３又は４に記載の便器装置において、前記シール部は、前記カバー部に移動可能又は着脱可能に取り付けたことを特徴とする便器装置。
【請求項７】
請求項３又は４に記載の便器装置において、前記シール部は、前記カバー部と一体であることを特徴とする便器装置。
【請求項８】
請求項１から５の何れか一項に記載の便器装置において、前記カバー部材の前方上部と前記ケーシングの前方下面との隙間を覆うように、前記ケーシングより下方に延びる突出部を設けたことを特徴とする便器装置。
【請求項９】
請求項１から５の何れか一項に記載の便器装置において、前記カバー部材は、機能的な表面層を有することを特徴とする便器装置。
【発明の詳細な説明】
【技術分野】
【０００１】
本発明は、トイレルームの便器装置に係り、特に便器や便器装置の掃除に好適な構造に関する発明である。
【背景技術】
【０００２】
従来、便器装置のケーシング下面と便器上面の間のわずかな隙間、および、便器開口部に面しているケーシング下面の領域には、排便・小便の跳ね返りや飛び散り等によって汚水が浸入、付着する為、清掃が必要とされた。
【０００３】
そこで、図８（ａ）のように、便器２開口部とケーシング６下面が重なり合うケーシング６下面より便器２内方へ垂下突出しかつ便器２内面上部を覆う円弧状の突起壁１０を設けたものがある（特許文献１参照）。これにより、排便・小便の跳ね返りや飛び散り等による汚水が、突起壁１０によって便器装置１下面と便器２上面の間のわずかな隙間７に浸入することを防止するものである。
このような場合において、便器２は一般的に陶器で作られており、陶器の寸法公差は金属や樹脂と比較すると大きいものである。その為、便器装置１と便器２の取り付け部の寸法によっては便器装置１下面に設けた突起壁１０から便器２内面上部までの寸法が大きくなり、その隙間１１から汚水が浸入する可能性がある。
また、図８（ａ）では便器２内面上部後方にリム１２が形成され、便器２内方に折り返されているが、例えば図８（ｂ）のように折り返しが無い場合には、便器２内開口内後方にそって汚水が駆け上がり、突起壁１０から便器２内面上部までの僅かな隙間１１にも簡単に侵入し、便器装置１下面と便器２上面の間の隙間７に汚水が到達してしまう可能性がある。
【０００４】
また、図９のように、ケーシング６前面に着脱可能な着脱パネル１３を備えたものがある（特許文献２参照）。これにより、着脱パネル１３を取り外すことによって、便器２上面の清掃および着脱パネル１３の丸ごと水洗いを可能としたものである。
このような場合、ケーシング６と着脱パネル１３の間には隙間が形成される為、例えば男性の立小便が便器２の前方上方から放たれ、狙いが外れて小水がケーシング６の前方に被ってしまった場合には、隙間から小水が侵入し、ケーシング６内部にまで到達する可能性がある。また、着脱パネル１３を着脱可能とする為には、着脱パネル１３によって囲われるスペースにケーシング６内部との連結部品を配置することが困難な為、デッドスペースが多く発生してコンパクトな収納設計が困難となり、ケーシング６が大きくなってスッキリしたデザイン性が損なわれてしまうという問題があった。
【０００５】
さらに、図１０のように、便器装置１本体を上昇させることにより、便器装置１下面と便器２上面の間の隙間７を露出させて、便器装置１下面と便器２上面の間のわずかな隙間７、および、便器２開口部に面しているケーシング６下面の領域の清掃を可能としたものがある（例えば、特許文献３参照）。
このような場合、手動で便器装置１を上昇させる場合、多機能を有する便器装置１が重く、ご年配の方々や腰痛を患っている方々等においては、便器装置１を持ち上げることが困難であった。また、上昇時にも、上昇位置でのロック機構があるものもあるが、ロックが不完全な場合、ロックが外れて便器装置１下面と便器２上面の間に指を挟んでしまうという問題があった。あるいは、自動で便器装置１を上昇させる場合、モータ等の昇降機構１４を便器装置１内に設ける必要がある為、コンパクトな収納設計が困難となり、ケーシング６が大きくなってスッキリしたデザイン性が損なわれ、便器装置１本体の清掃が面倒となるという問題があった。
【特許文献１】特許第２５１６９８５号公報（第３頁、第１図）
【特許文献２】特許第３０７０１９９号公報（第３頁、第１図）
【特許文献３】特許第３２４８１１９号公報（第７頁、第１図）
【発明の開示】
【発明が解決しようとする課題】
【０００６】
本発明は、上記問題を解決するためになされたもので、本発明の課題は、便器装置のケーシング下面と便器上面の間のわずかな隙間に排便・小便の跳ね返りや飛び散り等による汚水が浸入することを防ぎ、また、便器開口部に面しているケーシング下面に汚水が付着することを防止し、清掃性が良好であり、外観上のスッキリしたデザイン性も損なうことのない便器装置を提供するものである。
【課題を解決するための手段】
【０００７】
上記目的を達成するために、請求項１記載の発明によれば、便器上面に設置したケーシングに機能部品を収納した便器装置において、一端が便器上面より下方の便器開口内に対して当接するように、且つ、他端が前記ケーシングの便器開口内に臨んだ位置に対して対向するようにカバー部材を取り付けたことを特徴とする。これにより、便器装置のケーシング下面と便器上面の間のわずかな隙間に対して、排便・小便の跳ね返りや飛び散りが直接かかるのをカバー部材によって防ぐことで、便器装置のケーシング下面と便器上面の間のわずかな隙間に浸入することを防ぐことが可能である。さらに、清掃の際、従来の便器上面でのシールでは、シール箇所近傍の汚れ具合の目視確認が困難であり、また、手も届かず清掃も困難であったが、本発明のように便器開口内での当接であれば、その当接箇所近傍の汚れ具合の確認や清掃を容易に行うことが可能である。
ここで、本発明ではカバー部材の両端を便器開口内及びケーシングに対して近づけて当接させることにより、夫々の隙間を塞ぐことが望ましいが、例えばケーシングの便器開口内に臨んだ位置に凹凸が存在する場合には当接させることは困難であり、カバー部材の他端をケーシングの便器開口内に臨んだ位置の直近に対向して配置せざるを得ない。
しかし、この場合においても、カバー部材の他端とケーシングの便器開口内に臨んだ位置の間に存在する隙間に汚水が浸入する恐れはあるが、その汚水の量は若干であって便器装置のケーシング下面と便器上面の間のわずかな隙間にまで到達することは起こりにくい。
【０００８】
また、請求項２記載の発明によれば、前記カバー部材の便器開口内との当接箇所は、弾性体よりなるシール部であることを特徴とする。これにより、便器開口内を弾性体の反力によってシールすることにより、便器開口内における汚水の跳ね返りや飛び散り、駆け上がりを防止し、便器装置のケーシング下面と便器上面の間のわずかな隙間への汚水の浸入を防止することが可能となる。
【０００９】
また、請求項３記載の発明によれば、前記カバー部材は、前記シール部と、前記ケーシング下面に取り付けられ、このケーシング下面のうち便器開口部と重なる領域を覆う略平坦形状のカバー部とからなり、前記シール部と前記カバー部は表面が面一に接続されていることを特徴とする。これにより、ケーシング下面のうち便器開口部と重なる領域に凹凸がある場合、この部分の清掃は困難であるが、ケーシング下面のうち便器開口部と重なる領域をカバーで覆うことにより、汚水はケーシング下面には付着せず、略平坦なカバーに付着することになるので、清掃が容易となる。また、シール部材と略平坦形状のカバー部材を面一に滑らかに接続することにより、清掃時には滑らかに連結されたカバー部材、シール部材、便器開口内後方をさっと一拭きすることが出来るので、清掃性の向上を図ることが出来る。さらに、カバー部材は便器装置のケーシング下面のうち便器開口部と重なる領域に配置している為、便器装置の使用位置からは目立ちにくい箇所に配置していることにより、便器装置のデザイン性を確保することが可能である。
【００１０】
また、請求項４記載の発明によれば、前記シール部は、その外周が略円弧形状であって、且つ略円弧形状に沿って凸部を設け、この凸部が便器上面より下方の便器開口内と当接することを特徴とする。これにより、便器開口内を弾性体の反力によってシールする際に、シール部と便器開口内との密着性を向上させることができ、便器開口内における汚水の跳ね返りや飛び散り、駆け上がりを一層効果的に防止し、便器装置のケーシング下面と便器上面の間のわずかな隙間への汚水の浸入を防止することが可能となる。また、シール箇所が便器開口内の傾斜面である為、従来の便器上面のように平らな箇所でのシールよりも汚水が溜まりにくくなる。
【００１１】
また、請求項５記載の発明によれば、前記カバー部材は、前記ケーシング下面に移動可能又は着脱可能に取り付けたことを特徴とする。これにより、カバー部材を便器開口内のシール箇所から引き離すことによって、シール箇所に僅かに残留した汚水を清掃可能とすることが出来、悪臭の元を取り除くことが出来る。また、カバー部材の前方上部とケーシングの前方下面の間に隙間が発生し、若干の汚水が侵入した場合でも、カバー部材を取り出すことにより、清掃が可能である。
【００１２】
また、請求項６記載の発明によれば、前記シール部は、前記カバー部に移動可能又は着脱可能に取り付けたことを特徴とする。これにより、シール部を便器開口内のシール箇所から引き離すことによって、シール箇所に僅かに残留した汚水を清掃可能とすることが出来、悪臭の元を取り除くことが出来る。
【００１３】
また、請求項７記載の発明によれば、前記シール部は、前記カバー部と一体であることを特徴とする。これにより、シール部とカバー部の接続が不要であり、接続による隙間が発生しない為、より衛生的である。
【００１４】
また、請求項８記載の発明によれば、前記カバー部材の前方上部と前記ケーシングの前方下面との隙間を覆うように、前記ケーシングより下方に延びる突出部を設けたことを特徴とする。これにより、カバー部材の前方上部とケーシングの前方下面の間に隙間が発生する場合でも、カバー部材とケーシング下面の隙間を覆うようにケーシングより下方に延びる突出部を設けることにより、前方からの汚水浸入を防止することが可能となる。
【００１５】
また、請求項９記載の発明によれば、前記カバー部材は、機能的な表面層を有していることを特徴とする。これにより、カバー部材の表面に例えば防汚材料、あるいは抗菌材料を塗布することによって、カバー部材に対して汚物が付着しにくく、洗い落とし易くなるので、清掃が容易となる。また、細菌などの繁殖を防ぎ清潔に保つことが可能となる。
【発明の効果】
【００１６】
本発明によれば、便器装置のケーシング下面と便器上面の間のわずかな隙間に排便・小便の跳ね返りや飛び散り等による汚水が浸入することを防ぎ、また、便器開口部に面しているケーシング下面に汚水が付着することを防止し、清掃性が良好であり、外観上のスッキリしたデザイン性も確保することが出来るという効果がある。
【発明を実施するための最良の形態】
【００１７】
以下に本発明の形態を、図面を用いて詳細に説明する。
【００１８】
図１（ａ）は便器装置１本体と便器２に対して、本発明のカバー部材３の配置を示した上面図（便ふた４、便座５は図示せず）であり、図１（ｂ）はその中心の断面図である。カバー部材３は便器２開口内であって、ケーシング６の下方に配置しており、ケーシング６下面に取り付けている。
【００１９】
図１（ｂ）のカバー部材３取り付け箇所近傍の拡大図を図２に、カバー部材３単体の上面図を図３（ａ）に、断面図を図３（ｂ）に示す。
カバー部材３のシール部３ａは、ケーシング６下面に取り付けた状態では、シール部３ａの先端が便器２開口内後方（便鉢の後面）に押し当てられ、図３（ｃ）のように下方に反った状態となる。また、シール部３ａと接続しているカバー部３ｃは、略平坦な形状であって、ケーシング６下面のうち便器２開口部に面した領域を塞ぐ位置に配置しており、カバー部３ｃから上方に延ばした４本の爪部３ｄをケーシング６下面に設けた取付孔６ｄに嵌合させることで、ケーシング６下面に取り付けている。
【００２０】
ここで、シール部材３ａは弾性体で出来ており、図７のように、便器装置１と便器２の取り付け位置の寸法公差や取り付けによるあそびの寸法分を考慮した全ての位置関係において、便器２開口内後方をシール可能な設計としている。
この時、カバー部材３をケーシング６下面に取り付けた状態では、シール部３ａが下方に反った状態となり、シール部３ａの反力が働いて凸部３ｂが便器２開口内後方に押し当てられる為、便器２開口内後方をシールすることが可能となる。よって、排便・小便等の汚水が、跳ね返りや飛び散り、駆け上がりによってケーシング６下面と便器２上面の隙間７に浸入することを防ぐことが出来る。
【００２１】
また、この時、シール箇所が傾斜面である為、従来の便器上面のように平らな箇所でのシールよりも汚水が溜まりにくくなる。さらに、清掃の際、従来の便器上面でのシールでは、シール箇所近傍の汚れ具合の目視確認が困難であり、また、手も届かず清掃も困難であったが、本実施例のように便器開口内後方でのシールであれば、シール箇所近傍の汚れ具合の確認や清掃を容易に行うことが出来る。
また、この時、カバー部材３は上方に延ばした４本の爪部３ｄをケーシング６下面に嵌合させることでケーシング６下面に取り付けており、ケーシング６下面に対して着脱可能としている。この場合、便器２開口内後方と凸部３ｂの接続部であるシール箇所２ａには僅かに汚水が残留してしまうが、カバー部材３を着脱することにより、シール箇所２ａに僅かに残留した汚水をきれいに拭き取ることが出来、悪臭の元を排除することが出来る。
【００２２】
また、この時、カバー部３ｃは、ケーシング６下面のうち便器２開口部に面した領域を塞ぐ位置に配置している為、ケーシング６下面のうち便器２開口部と重なる領域に凹凸がある場合、この部分の清掃は困難であるが、ケーシング６下面のうち便器２開口部と重なる領域をカバー部３ｃで覆っている為、汚水はケーシング６下面には付着せず、略平坦なカバー部３ｃに付着することになるので、清掃が容易となる。さらに、カバー部材３はケーシング６下面に取り付けている為、排便および排尿時にも目立たず、また、便器装置１本体内に組み込まないので、便器装置１本体内のスペースを必要とせず、コンパクトな収納設計も容易であり、スッキリした便器装置１のデザイン性を確保することが出来る。
【００２３】
また、この時、シール部３ａとカバー部３ｃは滑らかに接続しており、シール部３ａは便器２開口内後方に反って密着させている為、ケーシング６下方および便器２開口内後方を掃除する際には、さっと一拭きすることが出来るので、清掃が容易となる。
【００２４】
ここで、本実施例では、カバー部材３を爪部３ｄで嵌合させてケーシング６に対して着脱可能としているが、例えば図４のように、カバー部材３の上方側面およびケーシング６下方の各々に前後方向にスライド溝３ｅ、６ｅを設け、カバー部材３をケーシング６に対して前後方向に移動および着脱可能としてもよい。これにより、シール箇所２ａに付着した汚水を、シール部３ａを便器２開口内後方から引き離すことによりシール箇所２ａを露出させてきれいに拭き取ることが出来、悪臭の元を排除することが出来る。
【００２５】
あるいは図５（ａ）のように、シール部３ａをカバー部３ｃから移動可能、または図５（ｂ）のように、シール部３ａをカバー部３ｃから着脱可能としてもよい。図５（ａ）の場合、カバー部３ｃの前方上部にヒンジ３ｆを設け、シール部３ａをヒンジ３ｆ中心より前方向に回動可能としている。また、図５（ｂ）の場合、シール部３ａのカバー部３ｃとの接続部位に突起３ｇを設け、カバー部３ｃのシール部３ａとの接続部位に設けた挿入孔３ｈに嵌め込んで接続し、シール部３ａをカバー部３ｃから着脱可能としている。これにより、シール箇所２ａを開放することが出来、同様の効果を得ることが出来る。
尚、本実施例のシール部３ａとカバー材３ｃの移動あるいは着脱可能な接続方法、およびケーシング６とカバー部材３の移動あるいは着脱可能な取り付け方法は具体例の一つであって、他にも多数方法があり、上記具体例に限定されるものではない。
さらに、カバー部材３を構成する要素全てを弾性体で一体で構成してもよい（図示せず）。これにより、シール部３ａとカバー部３ｃの接続が不要となり、接続による隙間が発生しないので、より衛生的である。
【００２６】
また、ここで、本実施例では、図２のように、カバー部３ｃの前方上部をケーシング６前方下面に対して当接させることにより、ケーシング６下面と便器２上面の隙間７を完全に塞ぎ、隙間７への汚水浸入を防止することが望ましい。
【００２７】
しかしながら、ケーシング６前方下面に凹凸があり、カバー部３ｃの前方上部はケーシング６前方下面に対して当接させることが出来ず、直近に配置せざるを得ない状況も想定される。その場合には、カバー部３ｃの前方上部とケーシング６前方下面との間にわずかな隙間８が存在し、例えば男性の立小便が便器２の前方上方から放たれ、狙いが外れて小水がケーシング６の前方下面近傍に被ってしまった場合に、カバー部３ｃの前方上部とケーシング６前方下面との間のわずかな隙間８に小水が前方から直接的に侵入する恐れがある。この場合に備えて、本実施例では、カバー部３ｃの前方上部とケーシング６前方下面との隙間８を覆うように、ケーシング６より下方に延びる突出部９を設けている。これにより、男性の立小便が便器２の前方上方から放たれ、狙いが外れて小水がケーシング６の前方下面近傍に被ってしまった場合に、突出部９がカバー部材３とケーシング６下面の隙間８に小水が侵入することを防ぎ、清潔に保つことが出来る。この場合、突出部９を設けなくても、カバー部材３は便器装置１に対して着脱可能な為、カバー部材３を取り外して隙間８を清掃してもよいが、突出部９を設けることにより、隙間８の清掃は不要となる。
【００２８】
また、ここで、カバー部材３の、特に汚水が付着する下面には、機能的な表面層を有している方が望ましい（図示せず）。カバー部材３の表面に例えば防汚材料、あるいは抗菌材料を塗布することによって、カバー部材３に対して汚物が付着しにくく、洗い落とし易くなるので、カバー部材３の清掃が容易であり、また、細菌等の繁殖を防ぎ、清潔に保つことが出来る。
【００２９】
また、ここで、図６のようにカバー部材３の下面には通水可能とし、使用毎にカバー部材３の下面を洗浄するようにしてもよい。図６の場合では、給水された水がケーシング６下面に連結した圧力室３ｉに注入される。圧力室３ｉ内の水はスリット３ｊよりカバー部材３の下面に噴出され、カバー部材３の下面を洗浄することになる。この場合、便器装置１の中に組み込まれた機器の信号、例えば、人体が便器の近くにいるかどうかを検知する人体検知センサ、人体が便座に着座しているかどうかを検知する着座センサ、あるいは便器装置１を遠隔から作動させるリモコン（図示せず）からの信号等をトリガーにしてカバー部材３の下面を自動で洗浄させてもよい。
【００３０】
または、カバー部材３を洗浄する為のスイッチ（図示せず）を便器装置１、あるいはリモコンに独自に設け、便器２掃除時や使用時等に都度スイッチを押すことによってカバー部材３の下面を洗浄させてもよい。これにより、便器２開口内後方およびケーシング６下方の掃除の手間を省き、簡単な操作で常に便器２開口内後方およびケーシング６下方を清潔に保つことが出来る。
尚、本実施例のカバー部材３下面への通水方法は具体例の一つであって、他にも多数方法があり、上記具体例に限定されるものではない。
【図面の簡単な説明】
【００３１】
【図１】本発明のカバー部材の取り付け位置を示す（ａ）上面図と、（ｂ）中心の断面図である。
【図２】本発明のカバー部材の取り付け状態を示す中心の断面図である。
【図３】本発明のカバー部材単体の（ａ）上面図と、（ｂ）中心の断面図である。
【図４】本発明のカバー部材のケーシング下面への取り付けの一形態を示す斜視図である。
【図５】本発明のシール部のカバー部への取り付け方法の一形態である。
【図６】本発明のカバー部材の洗浄方法を示す図である。
【図７】本発明のカバー部材の（ａ）便器開口内後方までの距離が最も遠い場合と、（ｂ）便器開口内後方までの距離が最も近い場合の状態を示す図である。
【図８】従来の便器装置のケーシング下面と便器上面の隙間への汚水浸入を防止する手段の一形態の図である。
【図９】従来の便器装置のケーシング下面と便器上面の隙間を清掃する手段の一形態の図である。
【図１０】従来の便器装置のケーシング下面と便器上面の隙間を清掃する手段の一形態の図である。
【符号の説明】
【００３２】
１…便器装置
２…便器
３…カバー部材
４…便ふた
５…便座
６…ケーシング
７…ケーシング下面と便器上面の隙間
８…カバー部の前方上部とケーシング前方下面の隙間
９…突出部
１０…突起壁
１１…突起壁と便器内面上部の隙間
１２…リム
１３…着脱パネル
１４…昇降機構
【図１】
2005105545.tif 000003
【図２】
2005105545.tif 000004
【図３】
2005105545.tif 000005
【図４】
2005105545.tif 000006
【図５】
2005105545.tif 000007
【図６】
2005105545.tif 000008
【図７】
2005105545.tif 000009
【図８】
2005105545.tif 000010
【図９】
2005105545.tif 000011
【図１０】
2005105545.tif 000012